(57)【特許請求の範囲】
【請求項１】
変調信号に直交変調処理を施す直交変調器と、前記直交変調器の出力を増幅する第１の中間周波増幅器と、前記第１の中間周波増幅器の出力を周波数変換する第１の周波数変換器と、受信信号を周波数変換する第２の周波数変換器と、前記第２の周波数変換器の出力を増幅する第２の中間周波増幅器と、前記第２の中間周波増幅器の出力を直交復調する直交復調器と、前記第１の周波数変換器に送信ローカル信号を供給する第１の発振器と、前記第２の周波数変換器に受信ローカル信号を供給する第２の発振器と、前記第１の発振器の出力と前記第２の発振器の出力との差の周波数の信号を生成して前記直交変調器および前記直交復調器に変調ローカル信号および復調ローカル信号として供給する第３の周波数変換器とを備えたことを特徴とする送受信装置。
【請求項２】
請求項１記載の送受信装置を具備したことを特徴とする通信装置。
【請求項３】
請求項１記載の送受信装置を具備したことを特徴とする通信信号試験装置。
【発明の詳細な説明】
【０００１】
【発明の属する技術分野】
本発明は、受信信号を復調信号に変換し、変調信号を送信信号に変換する送受信装置に関し、特に、ローカル信号の寄生波を原因とする送信信号と復調信号の希望波近傍の寄生波の発生を防止した送受信装置に関する。
【０００２】
【従来の技術】
従来、このような送受信装置としては図４に示すものが知られている。この送受信装置は、第１ローカル発振器の出力信号と、第２ローカル発振器の出力信号と、第１ローカル発振器の出力信号および第２ローカル発振器の出力信号を周波数加減算した信号とを、送受信部の周波数変換器、直交変調器、直交復調器のローカル信号として用いることにより、受信信号を復調信号に変換し、変調信号を送信信号に変換する回路により構成されている。
【０００３】
【発明が解決しようとする課題】
しかしながら、上記従来の送受信装置においては、第１ローカル発振器と第２ローカル発振器の出力信号を周波数加減算した信号を、送信部または受信部のローカル信号として用いているため、前記ローカル信号に主として次の周波数成分の信号を含む。
ＬＯ１−２×ＬＯ２、ＬＯ１−ＬＯ２、ＬＯ１、ＬＯ１＋ＬＯ２、ＬＯ１＋２×ＬＯ２
（Ｌ０１：第１ローカル周波数、Ｌ０２：第２ローカル周波数）
【０００４】
これらの周波数成分の内、希望波として必要な周波数成分（ＬＯ１−ＬＯ２またはＬＯ１＋ＬＯ２）以外は寄生波となる。そして、特に希望波近傍の寄生波は、送信部では直交変調器出力信号との混変調によって変調信号の帯域内に混入し、受信部では受信信号との混変調によって復調信号の帯域内に混入するため、この送受信装置を通信に用いた場合、受信側の復調信号の雑音となり、通信に悪影響を与えるなどの問題を有していた。
【０００５】
本発明は、このような問題を解決するためになされたもので、送信部のローカル信号および受信分のローカル信号の寄生波を原因とする復調信号と送信信号の希望波近傍の寄生波が発生しないようにした送受信装置を提供することを目的とする。
【０００６】
【課題を解決するための手段】
本発明の送受信装置は、変調信号に直交変調処理を施す直交変調器と、前記直交変調器の出力を増幅する第１の中間周波増幅器と、前記第１の中間周波増幅器の出力を周波数変換する第１の周波数変換器と、受信信号を周波数変換する第２の周波数変換器と、前記第２の周波数変換器の出力を増幅する第２の中間周波増幅器と、前記第２の中間周波増幅器の出力を直交復調する直交復調器と、前記第１の周波数変換器に送信ローカル信号を供給する第１の発振器と、前記第２の周波数変換器に受信ローカル信号を供給する第２の発振器と、前記第１の発振器の出力と前記第２の発振器の出力との差の周波数の信号を生成して前記直交変調器および前記直交復調器に変調ローカル信号および復調ローカル信号として供給する第３の周波数変換器とを備えた構成を有する。この構成により、ローカル信号の寄生波を原因とする送信信号と復調信号の希望波近傍の寄生波の発生を防止することができる。
【０００８】
【発明の実施の形態】
以下、本発明の実施の形態について、図１から図３を用いて説明する。
【０００９】
図１は、本発明の第１の実施の形態の送受信装置の概略ブロック図を示す。本発明の第１の実施の形態では、送信部、受信部それぞれの単一の発振器の出力信号から周波数変換器を用いて差周波数信号を生成し、直交変調器および直交復調器に変調ローカル信号および復調ローカル信号として供給し、さらに前記発振器の出力信号を送信部、受信部それぞれの周波数変換器に送信ローカル信号、受信ローカル信号として供給する。
【００１０】
この送受信装置は、受信信号を周波数変換する周波数変換器１と、周波数変換器１の出力を増幅する中間周波数増幅器２と、中間周波数増幅器２の出力を直交復調して復調信号（Ｉ，Ｑ）に変換する直交復調器３と、周波数変換器１に受信ローカル信号を供給する受信ローカル発振器４と、受信ローカル発振器４の発振周波数を設定する発振周波数制御器５と、変調信号（Ｉ，Ｑ）に直交変調処理を施す直交変調器６と、直交変調器６の出力を増幅する中間周波数増幅器７と、中間周波数増幅器７の出力を周波数変換して送信信号に変換する周波数変換器８と、周波数変換器８に送信ローカル信号を供給する送信ローカル発振器９と、送信ローカル発振器９の発振周波数を設定する発振周波数制御器１０と、受信ローカル発振器４の出力および送信ローカル発振器９の出力の差の周波数を生成して直交復調器３、直交変調器６、および発振周波数制御器１０に供給する周波数変換器１１とを備えている。
【００１１】
周波数変換器１は、受信信号から受信ローカル信号の周波数を減算して中間周波数に周波数変換する。中間周波増幅器２は中間周波数帯の信号だけを増幅する。直交復調器３は中間周波数信号から復調信号（Ｉ，Ｑ）を生成する。受信ローカル発振器４は、発振周波数制御器５によって設定された周波数の受信ローカル信号を出力する。直交変調器６は、変調信号（Ｉ，Ｑ）を中間周波数信号に変換する。中間周波増幅器７は中間周波数帯の信号だけを増幅する。周波数変換器８は、送信ローカル信号の周波数に中間周波数信号を加減算して周波数変換する。周波数変換器１１は、受信ローカル信号と送信ローカル信号の差周波数信号を出力する。発振周波数制御器１０は、受信ローカル信号と送信ローカル信号の差周波数信号が所定の周波数となるように送信ローカル信号の周波数を設定する。送信ローカル発振器９は、発振周波数制御器１０によって設定された周波数の送信ローカル信号を出力する。
【００１２】
次に、図１に示した送受信装置の動作を説明する。周波数変換器１は、受信信号から受信ローカル発振器４の出力である受信ローカル信号の周波数を減算して中間周波数に周波数変換し、中間周波増幅器２に出力する。中間周波増幅器２は中間周波数帯の信号だけを増幅し、直交復調器３に出力する。直交復調器３は、周波数変換器１１が出力する、受信ローカル信号と送信ローカル信号との差周波数信号をローカル信号として用い、中間周波数信号から復調信号を生成する。直交変調器６は、周波数変換器１１が出力する、受信ローカル信号と送信ローカル信号との差周波数信号をローカル信号として用い、変調信号を中間周波数信号に変換して中間周波増幅器７に出力する。中間周波増幅器７は中間周波数帯の信号だけを増幅し、周波数変換器８へ出力する。周波数変換器８は、送信ローカル発振器９の出力である送信ローカル信号の周波数に中間周波数信号を加減算して周波数変換した送信信号を出力する。発振周波数制御器５は、受信ローカル発振器４の周波数が所定の値になるように制御する。発振周波数制御器１０は、周波数変換器１１の出力、すなわち、受信ローカル信号と送信ローカル信号の差周波数信号が所定の周波数となるように送信ローカル発振器９の周波数を制御する。
【００１３】
ここで、送信ローカル信号と受信ローカル信号は、それぞれ専用の発振器である送信ローカル発振器９と受信ローカル発振器４で生成し、出力しているため、希望波以外の寄生波を発生しない。したがって、前記寄生波を原因とする復調信号と送信信号の希望波近傍の寄生波を発生しない点で優れた効果が得られる。なお、発振周波数制御器１０により受信ローカル発振器４を制御し、発振周波数制御器５により送信ローカル発振器９を制御する構成でも同様の効果が得られる。
【００１４】
以上のように本発明の第１の実施の形態によれば、送信部、受信部それぞれの単一の発振器９、４の出力信号から周波数変換器１１を用いて差周波数信号を生成し、直交変調器６および直交復調器３に変調ローカル信号および復調ローカル信号として供給し、前記発振器９、４の出力信号を送信部、受信部それぞれの周波数変換器８、１に送信ローカル信号、受信ローカル信号として供給することにより、ローカル信号の寄生波を原因とする復調信号と送信信号の希望波近傍の寄生波の発生を防止することができる。
【００１５】
また、受信ローカル信号と送信ローカル信号との差周波数が一定の場合、発振周波数制御器１０の設定値は固定値でよくなり、送信部、受信部それぞれ単一の発振器９、４の出力信号から周波数変換器１１を用いて差周波数信号を生成し、直交変調器６および直交復調器３に変調ローカル信号および復調ローカル信号として供給し、前記発振器９、４の出力信号を周波数変換器８、１に送信ローカル信号、受信ローカル信号として供給することにより、少ない発振器で構成できることと併せて、回路の簡素化が容易に実現できる。
【００１６】
次に、図２は本発明の第２の実施の形態の通信装置の概略ブロック図を示す。図２に示すように、本発明の第２の実施の形態は、図１に示した送受信装置を具備した通信装置である。
【００１７】
図２において、送受信部２４は図１に示した送受信装置に相当する。この通信装置２０は、送受信部２４と、送受信部２４に接続され、その送受信信号を外部の伝送路２２に適合させるための入出力部２３と、送受信部２４に接続され、変調信号の発生と復調信号の処理を行う変復調処理部２５と、通信装置全体の制御を行うＣＰＵ２６と、外部との信号のやり取りを行う外部インタフェース部２７とを備えている。なお、通信装置２１は、通信装置２０の対向機であり、伝送路２２は有線あるいは無線の信号伝播路である。
【００１８】
以上のように構成された通信装置２０において、まず、外部インタフェース部２７が外部から指示を受け取り、ＣＰＵ２６に伝達する。ＣＰＵ２６は、この指示に従って変復調処理部２５と送受信部２４を制御する。変復調処理部２５は送受信部２４に変調信号を供給し、復調信号を受け取って必要な処理を行う。入出力部２３は、送受信部２４と伝送路２２との間で信号の受け渡しを行う。通信装置２０は、伝送路２２を経由して通信装置２１と通信を行う。
【００１９】
通信装置２０は、本発明の第１の実施の形態の送受信装置に相当する送受信部２４を具備しているため、ローカル信号の寄生波を原因とする復調信号と送信信号の希望波近傍の寄生波を発生しないという点で優れた効果が得られる。
【００２０】
以上のように本発明の第２の実施の形態によれば、ローカル信号の寄生波を原因とする復調信号と送信信号の希望波近傍の寄生波を発生しないため、通信装置相互の復調信号の雑音を低減することができる。
【００２１】
次に、図３は本発明の第３の実施の形態の通信信号試験装置の概略ブロック図を示す。本発明の第３の実施の形態は、図１に示した送受信装置を具備した通信信号試験装置である。図３において、図２と同一または対応する構成要素には図２で使用した符号と同一の符号を付し、その説明を省略する。
【００２２】
この通信信号試験装置３０において、復調信号解析部３１は、通信信号試験装置３０の被試験対象である通信装置２１の送信特性試験のための復調信号解析を行う。変調信号発生部３２は、本通信信号試験装置３０の被試験対象である通信装置２１の受信特性試験のための変調信号生成を行う。
【００２３】
次に、以上のように構成された通信信号試験装置３０の動作について、第２の実施の形態と異なる部分を説明する。復調信号解析部３１は、送受信部２４から復調信号を受け取って復調信号解析を行う。変調信号発生部３２は、送受信部２４に変調信号を供給するための変調信号生成を行う。
【００２４】
この通信信号試験装置３０は、本発明の第１の実施の形態の送受信装置に相当する送受信部２４を具備しているため、ローカル信号の寄生波を原因とする復調信号と送信信号の希望波近傍の寄生波を発生しないという点で優れた効果が得られる。
【００２５】
以上のように、本発明の第３の実施の形態の通信信号試験装置によれば、ローカル信号の寄生波を原因とする復調信号と送信信号の希望波近傍の寄生波の発生を防止することができる。これにより、寄生成分の少ない信号純度の高い送信信号が出力でき、さらに入力信号を復調して試験する上で、寄生成分の少ない信号純度の高い復調信号を生成することができる。
【００２６】
【発明の効果】
以上説明したように、本発明によれば、送信部、受信部それぞれの単一の発振器の出力信号を前記送信部、受信部の第１、第２の周波数変換器に送信ローカル信号、受信ローカル信号として供給し、前記送信部、受信部それぞれの単一の発振器の出力信号を第３の周波数変換器に入力して差周波数信号を生成し、前記差周波数信号を直交変調器および直交復調器に変調ローカル信号および復調ローカル信号として供給することにより、受信信号を復調信号に変換し、変調信号を送信信号に変換するので、ローカル信号の寄生波を原因とする復調信号と送信信号の希望波近傍の寄生波の発生を防止することができるという優れた効果を有する送受信装置、通信装置、および通信試験装置を提供することができる。
【図面の簡単な説明】
【図１】本発明の第１の実施の形態の送受信装置の構成を示す概略ブロック図、
【図２】本発明の第２の実施の形態の通信装置の構成を示す概略ブロック図、
【図３】本発明の第３の実施の形態の通信信号試験装置の構成を示す概略ブロック図、
【図４】従来の送受信装置の構成を示すブロック図である。
【符号の説明】
１、１１  周波数変換器
２、７  中間周波増幅器
３  直交復調器
４  受信ローカル発振器
５  発振周波数制御器
６  直交変調器
８  周波数変換器
９  送信ローカル発振器
１０  発振周波数制御器
【図１】
0003608988.tif 000002
【図２】
0003608988.tif 000003
【図３】
0003608988.tif 000004
【図４】
0003608988.tif 000005